(57)【要約】【課題】抗体フィルタに紫外線が照射することをによるフィルタ効果の低減を防止でき、風量の低下を防止できる空気清浄装置を提供する。【解決手段】光触媒を用いて有機物質を分解する空気清浄装置であって、内部に空気を取り込む吸気部２１と、外部に空気を送り出すための排気部２３とを有するケース本体１１と、吸気部２１から排気部２３の間に形成された流路に空気を送風する送風部１６と、光触媒を含む層を有し、流路に配置された光触媒フィルタ１２ａ，１２ｂと、光触媒フィルタ１２ａ，１２ｂに光を照射する光照射部１４ａ，１４ｂと、担体に抗体を担持してなる有害物質除去材を含み、流路に配置された抗体フィルタ１５と、を備え、光照射部１４ａ，１４ｂが指向性光源１４２を備え、指向性光源１４２の照射方向が光触媒フィルタ１２ａ，１２ｂの被照射面に対する垂直方向から該垂直方向に対して傾斜した方向の範囲であり、光の照射方向に抗体フィルタ１５が存在しない。【選択図】図１
2009072430.tif 000002
【特許請求の範囲】
【請求項１】
光触媒を用いて有機物質を分解する空気清浄装置であって、
内部に空気を取り込む吸気部と、外部に空気を送り出すための排気部とを有するケース本体と、
前記吸気部から前記排気部の間に形成された流路に空気を送風する送風部と
光触媒を含む層を有し、前記流路に配置された光触媒フィルタと、
前記光触媒フィルタに光を照射する光照射部と、
担体に抗体を担持してなる有害物質除去材を含み、前記流路に配置された抗体フィルタと、を備え、
前記光照射部が指向性光源を備え、前記指向性光源の照射方向が前記光触媒フィルタの被照射面に対する垂直方向から該垂直方向に対して傾斜した方向の範囲であり、前記光の照射方向に前記抗体フィルタが存在しないことを特徴とする空気清浄装置。
【請求項２】
前記光照射部が、前記ケース本体における前記光触媒フィルタの近傍の前記流路に面する底面に設けられていることを特徴とする請求項１に記載の空気清浄装置。
【請求項３】
前記光照射部が長尺状の基板を有し、該基板の長手方向に複数の前記指向性光源が並べられた構成であり、前記光触媒フィルタの前記被照射面に対して前記長手方向が平行になるように配置されていることを特徴とする請求項１又は２に記載の空気清浄装置。
【請求項４】
前記光照射部が紫外線を含む光を照射する発光ダイオードであることを特徴とする請求項１から３のいずれか１つに記載の空気清浄装置。
【発明の詳細な説明】
【技術分野】
【０００１】
本発明は、消臭、脱臭、除菌等を目的とし、光触媒を用いて有機物質を分解し、抗体フィルタによって細菌、ウイルスなどを選択的に不活性する空気清浄装置に関する。
【背景技術】
【０００２】
従来、ウイルスの不活性化を目的とする光触媒フィルタや、このような光触媒フィルタを備えた空気清浄装置としては、例えば、下記特許文献に示すものがある。特許文献１の空気清浄装置は、免疫抗体反応によりウイルスを不活性化して死滅させるウイルス除去能力に加えて、型の異なるウイルスを静電フィルタ又は光触媒フィルタにより不活性化効果を維持する空気清浄装置である。
【０００３】
【特許文献１】特開２００５−３４２１４２号公報
【発明の開示】
【発明が解決しようとする課題】
【０００４】
ところで、光触媒フィルタに光を照射する光源として、一般的に紫外線が用いられるが、抗体フィルタに紫外線が照射されると、抗体フィルタに含まれる抗体が破壊され、ウイルスや細菌を捕捉する効果が低下してしまう。上記従来の空気清浄装置は、空気の流路において最上流側又は最下流側に抗体フィルタを配置する構成であるが、最下流側に配置した場合、抗体フィルタに光源部からの紫外線が照射されることで、抗体フィルタのフィルタ効果が低減することが予想される。一方、抗体フィルタに対する紫外線の影響を考慮して、抗体フィルタと光源部との間に遮蔽板などを設けると、空気の流れが妨げられることで、風量が低下してしまうことが懸念される。
また、抗体は、例えば動物の血清から製造する場合、血清中に溶解した状態で抗体１ｋｇあたり７００万円と高価格である。目的に応じて更に精製、粉末化などが行われ、さらに高価格となる。そのため、抗体が破壊されると大きなコストアップとなる。
【０００５】
本発明は、上記事情に鑑みてなされたもので、その目的は、抗体フィルタに紫外線が照射することをによるフィルタ効果の低減を防止でき、風量の低下を防止できる空気清浄装置を提供することにある。
【課題を解決するための手段】
【０００６】
本発明の上記目的は、下記構成によって達成される。
（１）光触媒を用いて有機物質を分解する空気清浄装置であって、
内部に空気を取り込む吸気部と、外部に空気を送り出すための排気部とを有するケース本体と、
前記吸気部から前記排気部の間に形成された流路に空気を送風する送風部と
光触媒を含む層を有し、前記流路に配置された光触媒フィルタと、
前記光触媒フィルタに光を照射する光照射部と、
担体に抗体を担持してなる有害物質除去材を含み、前記流路に配置された抗体フィルタと、を備え、
前記光照射部が指向性光源を備え、前記指向性光源の照射方向が前記光触媒フィルタの被照射面に対する垂直方向から該垂直方向に対して傾斜した方向の範囲であり、前記光の照射方向に前記抗体フィルタが存在しないことを特徴とする空気清浄装置。
（２）前記光照射部が、前記ケース本体における前記光触媒フィルタの近傍の前記流路に面する底面に設けられていることを特徴とする上記（１）に記載の空気清浄装置。
（３）前記光照射部が長尺状の基板を有し、該基板の長手方向に複数の前記指向性光源が並べられた構成であり、前記光触媒フィルタの前記被照射面に対して前記長手方向が平行になるように配置されていることを特徴とする上記（１）又は（２）に記載の空気清浄装置。
（４）前記光照射部が紫外線を含む光を照射する発光ダイオードであることを特徴とする上記（１）から（３）のいずれか１つに記載の空気清浄装置。
【０００７】
本発明にかかる空気清浄装置は、光照射部が指向性光源を備え、指向性光源から照射された光が、光触媒フィルタの被照射面にのみ照射され、抗体フィルタには照射されないように構成されている。こうすれば、光に含まれる紫外線によって、抗体フィルタの抗体が破壊されてしまうことを回避でき、抗体フィルタのフィルタ効果が低下してしまうことを防止することができる。
【発明の効果】
【０００８】
本発明によれば、抗体フィルタに紫外線が照射することをによるフィルタ効果の低減を防止でき、風量の低下を防止できる空気清浄装置を提供できる。
【発明を実施するための最良の形態】
【０００９】
以下、本発明の実施形態を図面に基づいて詳しく説明する。
図１は、本発明にかかる空気清浄装置の一実施形態の構成を示す図である。図２は、図１の空気清浄装置を吸気側からみた図である。図３は、図１の空気清浄装置を排気側からみた図である。図４は、図１の空気清浄装置の空気の流路と平行な断面で切断した断面図である。
【００１０】
空気清浄装置１０は、内部に所定の空間を有する略長方体形状を有するケース本体１１を備えている。図２に示すように、ケース本体１１の吸気側の側面１１ａには、複数の吸気口２１が形成されており、これら吸気口２１がケース本体１１の内部に空気を取り入れるための吸気部として機能する。また、図３に示すように、ケース本体１１の排気側の側面１１ｂには、複数の排気口２３が形成されており、これら排気口２３がケース本体１１の外部に空気を送り出すための排気部として機能する。
【００１１】
ケース本体１１の内部には、吸気口２１から排気口２３に連通する流路が形成されている。空気清浄装置１０の駆動時には、吸気口２１から取り込まれた空気が図１中の矢印Ｆの方向に流れ、排気口２３から送り出される。以下、本発明にかかる実施形態において、流路に対して吸気側を上流側とし、排気側を下流側とする。
【００１２】
ケース本体１１の流路には、光触媒フィルタ１２が配置されている。本実施形態の光触媒フィルタ１２は、略長方対形状を有し、流路の断面積と略等しい面積で且つ互い平行な平面を有し、該平面を流路を流れる空気の流れ（矢印Ｆ）に対して垂直になるように配置されている。なお、本実施形態では、上流側に光触媒フィルタ１２ａを配置し、下流側に光触媒フィルタ１２ｂを配置した。
【００１３】
光触媒フィルタ１２は、不織布等のように多孔質の繊維層と、不活性チタン層と、不活性チタン層上に活性チタン層を有する。
光触媒としては、主に、酸化チタン（ＴｉＯ２）を主体として使用するが、木の他に酸化亜鉛（ＺｎＯ）、酸化セリウム（Ｃｅ２Ｏ３）、酸化テルビウム（Ｔｂ２Ｏ３）、酸化マグネシウム（ＭｇＯ）、酸化エルピウム（Ｅｒ２Ｏ３）、タンタル酸カリウム（ＫＴａＯ３）、硫化カドミウム（ＣｄＳ）、セレン化カドミウム（ＣｄＳｅ）、および［Ｒｕ（ｂｐｙ）３］２＋やＣｏ錯体等が適用可能である。なお、活性酸化チタンとしては、アナターゼ結晶の微粒子を用いるのが望ましい。
繊維層としては、目付けが100ｇ／ｍ２〜300ｇ／ｍ２のものであって、圧力損失が標準風速２．５ｍ／ｓでの初期圧力損失が、２０〜９０Ｐａのものを用いることが好ましい。
【００１４】
また、光触媒フィルタ１２の下流側には、抗体フィルタ１５が設けられている。抗体フィルタ１５は、上記光触媒フィルタ１２と同一寸法及び形状とすることができる。
【００１５】
抗体フィルタ１５は、担体に抗体を担持してなる有害物質除去材を含む。
担体は、例えば、調質性素材で形成することができる。かかる調湿性素材としては、例えば繊維を挙げることができ、織布、不織布などの形態で担体を構成することができる。
【００１６】
抗体は、特定の有害物質（抗原）に対して特異的に反応（抗原抗体反応）するタンパク質であり、分子サイズが７〜８ｎｍであって、Ｙ字状の分子形態を有する。抗体のＹ字状の分子形態の一対の枝部分をＦａｂ、幹部分をＦｃといい、これらのうち、Ｆａｂの部分で有害物質を捕捉する。
【００１７】
抗体の種類は、捕捉しうる有害物質の種類に対応する。抗体により捕捉される有害物質としては、例えば、細菌、カビ、ウイルス、アレルゲン及びマイコプラズマを挙げることができる。具体的には、細菌としては、例えば、グラム陽性菌であるブドウ球菌属（黄色ブドウ球菌や表皮ブドウ球菌）、ミクロコッカス属、炭疽菌、セレウス菌、枯草菌、アクネ菌などや、グラム陰性菌である緑膿菌、セラチア菌、セパシア菌、肺炎球菌、レジオネラ菌、結核菌を挙げることができる。カビとしては、例えば、酵母、アスペルギルス、ペニシリウス、クラドスポリウムを挙げることができる。ウイルスとしては、インフルエンザウイルス、コロナウイルス（ＳＡＲＳウイルス）、アデノウイルス、ライノウイルスを挙げることができる。アレルゲンとしては、花粉、ダニアレルゲン（ダニ分解物）、カビ胞子、ネコアレルゲン（ペットのふけ）を挙げることができる。これらのうち細菌及びカビについては、抗体により不活化されないものの、高い吸着効果により静菌するのに対し、ウイルス及びアレルゲンについては、殺菌・不活化される。
【００１８】
抗体の製造方法としては、例えば、ヤギ、ウマ、ヒツジ、ウサギ等の動物に抗原を投与し、その血液からポリクローナル抗体を精製する方法、抗原を投与した動物の脾臓細胞と培養癌細胞とを細胞融合し、その培養液又は融合細胞を植え込んだ動物の体液（腹水等）からモノクローナル抗体を精製する方法、抗体産生遺伝子を導入した遺伝子組み換え細菌、植物細胞、動物細胞の培養液から抗体を精製する方法、ニワトリに抗原を投与して免疫卵を生ませ、卵黄液を殺菌及び噴霧乾燥して得た卵黄粉末から鶏卵抗体を精製する方法を挙げることができる。これらのうちでも、鶏卵から抗体を得る方法は、容易に且つ大量に抗体が得られ、有害物質除去材の低コスト化を図ることができる。
【００１９】
担体には、抗菌剤を含有するコーティングを行うなどの抗菌加工及び／又は抗カビ剤を含有するコーティングを行うなどの抗カビ加工が施されていることが望ましい。抗体は、基本的にはタンパク質であり、特に鶏卵抗体は食物であり、また、抗体以外のタンパク質を伴う場合もあり、それらは細菌やカビが増殖するための恰好の餌となるが、担体に抗菌加工及び／又は抗カビ加工が施されていれば、かかる細菌やカビの増殖が抑制され、長期間の保管も行うことができる。抗菌／抗カビ剤としては、有機シリコン第４級アンモニウム塩系、有機第４級アンモニウム塩系、ビグアナイド系、ポリフェノール系、キトサン、銀担持コロイダルシリカ、ゼオライト担持銀系などを挙げることができる。そして、その加工法としては、繊維からなる担体に抗菌／抗カビ剤を含浸させる又は塗布する後加工法や、担体を構成する繊維の合成段階で抗菌／抗カビ剤を練り混む原糸原綿改質法などがある。
【００２０】
担体に抗体を固定する方法としては、担体をγ-アミノプロピルトリエトキシシランなどを用いてシラン化した後、グルタールアルデヒドなどで担体表面にアルデヒド基を導入し、アルデヒド基と抗体とを共有結合させる方法、未処理の担体を抗体の水溶液中に浸漬してイオン結合により抗体を担体に固定する方法、特定の官能基を有する担体にアルデヒド基を導入し、アルデヒド基と抗体とを共有結合させる方法、特定の官能基を有する担体に抗体をイオン結合させる方法、特定の官能基を有するポリマーで担体をコーティングしたのちにアルデヒド基を導入し、アルデヒド基と抗体とを共有結合させる方法を挙げることができる。ここで、上記の特定の官能基としては、ＮＨＲ基(ＲはＨ以外のメチル、エチル、プロピル、ブチルのうちいずれかのアルキル基)、ＮＨ2基、Ｃ6Ｈ5ＮＨ2基、ＣＨＯ基、ＣＯＯＨ基、ＯＨ基を挙げることができる。
【００２１】
また、担体表面の官能基を、ＢＭＰＡ(N-β-Maleimidopropionic acid)などを用いて他の官能基に変換した後、その官能基と抗体とを共有結合させる方法もある（ＢＭＰＡではＳＨ基がＣＯＯＨ基に変換される）。
【００２２】
さらに、抗体のＦｃの部分に選択的に結合する分子（Ｆｃレセプター、プロテインＡ／Ｇなど）を担体表面に導入し、それに抗体のＦｃを結合させる方法もある。この場合、有害物質を捕捉するＦａｂが担体に対して外向きとなり、Ｆａｂへの有害物質の接触確率が高くなるので、効率よく有害物質を捕捉することができる。
【００２３】
光触媒フィルタ１２ａ，１２ｂ及び抗体フィルタ１５は、フィルタカセット５０に保持され、該フィルタカセット５０をケース本体１１に装着することで、所定の位置に配置されている。本実施形態では、光触媒フィルタ１２ａ，１２ｂ及び抗体フィルタ１５は、長尺板形状を有し、流路Ｆに対して垂直方向に延在し、空気の流れを許容しつつ、肉眼視した状態で遮蔽するように配置されている。
【００２４】
図１及び図４に示すように、ケース本体１１の流路の下流で、排気口２３の直前（上流側近傍）には、送風部１６が設けられている。本実施形態では、送風部１６として軸流ファンを用いている。駆動時には、ファンの回転によって送風部１６が流路内部の空気を下流側の排気口２３から送り出すことで、流路において、空気を上流側の吸気口２１から取り込み、流路に沿って空気を送って下流側の排気口２３から送り出すといった図１で矢印Ｆで示す空気の流れが発生する。送風部１６としては、軸流ファンに限らず、シロッコファンなどを用いてもよい。なお、本実施形態では、流路の下流側に送風部１６を設ける構成としたが、流路の上流側に送風部１６を設ける構成としてもよく、または、流路の上流側及び下流側の両方に送風部１６を設ける構成としてもよい。
【００２５】
また、空気清浄装置１０には、ケース本体１１の内部には、光照射部１４ａ，１４ｂや送風部１６に電気を供給する電源回路３２と、モータ制御部３３と、光照射部１４ａ，１４ｂの電圧を個別に又は同時に変換可能な変圧器３４とが設けられている。ケース本体１１の排気側の側面１１ｂには、電源スイッチ２４が設けられている。また、ケース本体１１の吸気側１１ａには、送風部１６から送風される空気の流量を使用者が調整可能な、ノズル状の風量調節部２６とが設けられている。
【００２６】
また、図４に示すように、流路の上流側で、かつ、吸気口２１の下流側には、光照射部１４ａ，１４ｂからの光が吸気口２１からケース本体１１の外部に漏れ出ることを防止するため、光を遮蔽するケース本体１１の内側面に設けられた庇状の遮蔽部１８が設けられている。こうすれば、駆動時に紫外線などの人体に有害な光が外部に照射されてしまうことを防止でき、安全性を確保することができる。
【００２７】
次に、本実施形態の空気清浄装置１０の制御系を説明する。
図５は、本実施形態の空気清浄装置の制御系を示すブロック図である。なお、以下に説明する実施形態において、すでに説明した部材などと同等な構成・作用を有する部材等については、図中に同一符号又は相当符号を付すことにより、説明を簡略化或いは省略する。空気清浄装置１０の駆動時には、電源回路３２を起動することで、所定の電圧がモーター制御部３３、光照射部１４ａ，１４ｂと、変圧器３４に供給される。変圧器３４を所定の周波数（例えば、周波数５０Ｈｚと６０ヘルツ）に設定することで光照射部１４ａ，１４ｂの駆動にかかる電圧を切り替えることができる。モーター制御部３３を駆動することで、送風部１６が駆動し、ケース本体１１の流路に沿って、空気が流動し始める。送風部１６の駆動開始と同時、または、その駆動開始の前後で光照射部１４ａ，１４ｂを駆動して、光の照射を開始し、光触媒フィルタ１２で活性酸素を発生させるとともに、送風部１６によって流動する空気によって活性酸素を空気清浄装置１０の周囲雰囲気に拡散させる。
【００２８】
ここで、空気清浄装置１０には、雰囲気中の有機物質の量を検出するセンサ部３６と、光照射部１４ａ，１４ｂと送風部１６との少なくとも一方に信号の入出力が可能な状態で接続された駆動制御部３８とが設けられている。センサ部３６は、有機物質を検出した場合に、検出信号を駆動制御部３８に出力する。駆動制御部３８は、有機物質の検出信号に基づいて光照射部１４ａ，１４ｂと送風部１６との少なくとも一方を制御することができる。光照射部１４ａ，１４ｂを制御する場合には、照射する光の量や、光を照射する時間を制御することができる。また、光照射部１４ａ，１４ｂの点灯を間欠運転に設定することや、照射を終了するタイマー機能を有していてもよい。送風部１６を制御する場合には、送風する空気の量や、送風する時間を制御することができる。また、送風部１６の駆動を間欠運転に設定することや、送風を終了するタイマー機能を有していてもよい。
【００２９】
センサ部３６で検出する臭気としては、例えば、人体からの体臭や口臭、アルコール物質や、愛玩動物の糞尿から生じた有機物質などがある。また、センサ部は、臭気に限定されず、例えば、ダニなどのハウスダスト、塵埃、花粉を検出することもできる。
【００３０】
本実施形態の光照射部１４ａ，１４ｂはそれぞれ、長尺状の基板１４１と、該基板１４１の長手方向に間隔をおいて複数の指向性光源１４２が配置された構成である。光照射部１４ａ，１４ｂはそれぞれ、光触媒フィルタ１２ａ，１２ｂの被照射面に対して基板１４１の長手方向（図１において上下方向）が平行になるように配置されている。ここで、光触媒フィルタ１２ａ，１２ｂの被照射面とは、光触媒フィルタ１２ａ，１２ｂそれぞれの光照射部１４ａ，１４ｂが照射する側の面を指し、光触媒フィルタ１２ａの被照射面は、光照射部１４ａ側の面（図４において右側の面）が相等し、光触媒フィルタ１２ｂの被照射面は、光照射部１４ｂ側の面（図４において右側の面）が相等する。本発明で用いる指向性光源１４２は、各指向性光源の指向方向（照射方向）の光強度と、該指向方向から９０°の角度の光強度の比（角度９０°の光強度／角度０°の光強度）が０．０１以下である。指向性光源１４２の照射方向が光触媒フィルタ１２ａ，１２ｂの被照射面に対する垂直方向から該垂直方向に対して傾斜した方向の範囲であり、光の照射方向に抗体フィルタ１５が存在しない。
【００３１】
図６は、光照射部の配置の変形例を示す断面図である。図６は、図１に示す空気清浄装置の流路と平行な切断面で切断した場合の断面図において、光触媒フィルタ１２ａ，１２ｂと光照射部１４ａ，１４ｂを含む要部を拡大して示している。図６に示すように、光照射部１４ａ，１４ｂが、ケース本体１１における光触媒フィルタ１２ａ，１２ｂの近傍の流路に面する底面に設けられている。こうすれば、流路を流れる空気と光照射部１４ａ，１４ｂが干渉してしまうことを抑制することができ、光触媒フィルタ１２ａ，１２ｂに照射される光量を確保しつつ、空気清浄装置１０の風量を向上させることができる。
【００３２】
（実施例）
次に、本実施形態の空気清浄装置に基づいて、下記のように実施例と比較例とを測定する試験を行った。なお、実施例及び比較例で用いる空気清浄装置は、特段説明しない限り、上記で説明した空気清浄装置と同じ構成であるとして、説明を省略或いは簡易化する。
【００３３】
実施例及び比較例で用いる抗体フィルタを下記手順によって作成した。
【００３４】
（抗体フィルタの作成）
セルロースアセテート（アルドリッチ製、全置換度２．４、数平均分子量３万）のアセトン：水（９７：３）溶液（２５質量％）を６０℃に加温し、直径０．１ｍｍのノズルから、紡速５００ｍ／ｍの速度で空気とともに噴出させ不織布を形成し膜厚８５μｍの不織布Ｎ−１を得た。紡糸筒はヒーターで１００℃に加温した。ＳＥＭで平均繊維径を測定したところ、８μｍであった。
【００３５】
（抗体の固定化）
抗原を投与したニワトリが産んだ免疫卵を精製して作製したインフルエンザウイルス抗体（IｇＹ抗体）をリン酸緩衝生理食塩水（ＰＢＳ）に溶解させ、抗体濃度１００ｐｐｍになるように調製した。調製した液に前記Ｎ−１のサンプルを室温で１６〜２４時間浸漬させ、繊維表面に抗体を付与させた。得られた試料を２５℃２０％ＲＨの環境下で２４時間静置し、次に２５℃９０％ＲＨの環境下で２４時間静置した。この操作を交互に３回ずつ、合計６条件の間で繰返した。
【００３６】
（光触媒フィルタの作成）
ポリエステル／アクリル系からなる線径２０μ、膜厚７ｍｍの不織布に光触媒コーティング剤（ＴＫＣ−３０４：テイカ製）を１ｍ２あたり７．５ｇとなるよう担持させ、１００℃で３分乾燥させ光触媒フィルタを作成した。
【００３７】
（空気清浄機へのフィルタ配置および評価）
光触媒および抗体フィルタに枠を作成し、着脱可能に保持するフィルタ保持部が設けられた、上記実施形態の図１及び図４に示すように、作成した抗体ナノフィルタＮ−１を空気の流れの最下流に配置し、上流側に光触媒を一対配置した。送風部として最下流に軸流ファン３機配置した。
【００３８】
（実施例１）
それぞれの光触媒フィルタに対して下流側に、光触媒フィルタの被照射面に対して光指向方向が９０度となるように光照射部として機能するUVLEDを配置した。光照射部の構成及び配置は、図１及び図４に示す上記実施形態のものと同じとした。
【００３９】
（実施例２）
それぞれの光触媒フィルタに対して下流側に、被照射面に対して光指向方向が４５度となるように、光触媒フィルタの近傍のケース本体の底面に、光照射部として機能するUVLEDを配置した。光照射部の構成及び配置は、図６に示す上記実施形態のものと同じとした。
【００４０】
（比較例１）
光触媒フィルタ同士の間に、指向性光源を備えていないUV冷陰極管のみを配置した。図７は、指向性を有しない光源を配置した構成例を示す図である。ケース本体１の光触媒フィルタ２ａと２ｂとの間に光源４が配置されている。図７においてはケース本体１の左側から空気が吸気され、右側から排出されるものとする。光触媒フィルタ２ａ，２ｂの下流側に抗体フィルタ５が配置されている。光触媒フィルタ２ａ，２ｂ及び抗体フィルタ５は、上記実施例１，２と同じ構成のものを使用する。また、下流側の光触媒フィルタ２ｂと抗体フィルタ５との間には、特に何も設けない。
【００４１】
（比較例２）
光触媒フィルタ同士の間に、指向性光源を備えていないブラックライトのみを配置した。光触媒フィルタ及び光源の配置は図７と同じである。
【００４２】
（消臭効果評価）
空気清浄装置の、消臭効果をアンモニア濃度で評価した。試験を行う閉ざされた空間（５．０ｍ３）初期アンモニア（ＮＨ３）濃度を１０ｐｐｍに調節した後、空気清浄装置を駆動し、アンモニア濃度が１ｐｐｍになる時間を測定した。アンモニア濃度は検知管にて測定した。
【００４３】
（風量評価）
風量は、縦２６ｃｍ横７ｃｍ長さ３０ｃｍの筒を作成し、吹き出し口につけ、１０点の風速（ｍ／ｓ）を測定し、平均値から風量（ｍ３／ｍｉｎ）を求めた。
【００４４】
（抗体フィルタでのＵＶ強度評価）
浜松フォトニクス社製のＵＶ−パワーメーター（Ｃ９５３６−０１／Ｈ９９５８）により測定した。
【００４５】
（ウイルス不活性化効率評価）
同一環境下で、前記条件の空気清浄機を２週間運転した後、それぞれの抗体フィルタのウイルス不活性化評価を実施した。
供試ウイルス液は精製インフルエンザウイルスをＰＢＳで１０倍希釈したものを使用した。前記各サンプルを５ｃｍ角に切り、ウイルス噴霧試験装置の中央に取り付け固定した。上流側に設置したネブライザーに供試ウイルス液を入れ、下流側にウイルス回収用装置を取り付けた。エアーコンプレッサーから圧縮空気を送り、ネブライザーの噴霧口から供試ウイルスを噴霧した。マスク下流側には、ゼラチンフィルターを設置し、１０Ｌ／分の吸引流量で５分間試験装置内空気を吸引し、通過ウイルスミストを捕集した。
【００４６】
試験後、ウイルスを捕集したゼラチンフィルターを回収し、ＭＤＣＫ細胞を用いたＴＣＩＤ５０法（50%細胞感染量測定法）により、サンプル通過後のウイルス感染価を求めた。サンプル有り無しでのゼラチンフィルターのウイルス感染価の比較から、各サンプルのウイルスの一過性除去率を算出した。本測定の結果を下記表１に示す。
【００４７】
【表１】
2009072430.tif 000003
【００４８】
実施例１及び２では、指向性光源を有するＵＶＬＥＤを光照射部として用いたことで、抗体フィルタにおけるＵＶ強度を０μW/cm2とすることができ、ウイルスの一過性除去率が８７％と高い値を示し、フィルタ効果が高かった。特に、実施例２では、ＵＶＬＥＤをケース本体の底面に設けたため、流路を流れる空気との干渉を低減することができ、風量が0.7m3/minとなり、実施例１よりも大きくなる。このため、10ppmのNH3濃度が1ppmになる時間が、実施例１の60分から30分と半分になり、空気清浄性能の大幅な向上が認められた。
【００４９】
比較例１及び２は、指向性を有しない光源を用いたため、抗体フィルタにおいてＵＶ強度がいずれも１００μW/cm2と非常に高く、紫外線による抗体の破壊現象が生じた。そして、ウイルスの一過性除去率が４０％と低く、フィルタ効果の低減が見受けられた。
【図面の簡単な説明】
【００５０】
【図１】空気清浄装置の一実施形態の構成を示す図である。
【図２】図１の空気清浄装置を吸気側からみた図である。
【図３】図１の空気清浄装置を排気側からみた図である。
【図４】図１の空気清浄装置の空気の流路と平行な断面で切断した断面図である。
【図５】空気清浄装置の制御系を示すブロック図である。
【図６】光照射部の配置の変形例を示す断面図である。
【図７】比較例の装置構成を示す図である。
【符号の説明】
【００５１】
１０    空気清浄装置
１１    ケース本体
１２（１２ａ，１２ｂ）    光触媒フィルタ
１４ａ，１４ｂ    光照射部
１５    抗体フィルタ
１６    送風部
１４２    指向性光源
【図１】
2009072430.tif 000004
【図２】
2009072430.tif 000005
【図３】
2009072430.tif 000006
【図４】
2009072430.tif 000007
【図５】
2009072430.tif 000008
【図６】
2009072430.tif 000009
【図７】
2009072430.tif 000010